(57)【特許請求の範囲】
【請求項１】
熱交換器および送風機を収容する空気調和機本体と、
この空気調和機本体に設けられる熱交換空気の吸込み口と、
この吸込み口近傍に設けられる開閉駆動機構と、
この開閉駆動機構に支持され、上記吸込み口を開閉自在なパネルとを具備した空気調和機において、
上記開閉駆動機構は、上記パネルの幅方向に沿って所定間隔を存して複数組備えられるリンク部材と、これらリンク部材相互を連結する駆動軸と、この駆動軸を回動駆動する駆動源とから構成され、
上記リンク部材は、互いの一端部が近接しかつ回動自在に空気調和機本体に支持され、互いの他端部が互いに離間して上記パネルに連結され、他端部相互を近接・離間するよう回動することにより、上記吸込み口の幅方向とは直交する方向の一側部が、他側部より大きく開放するよう、パネルを吸込み口に対して開閉駆動し、
上記リンク部材は、長さの異なる２本のリンクを備えていて、一方のリンクが他方のリンクよりも長く形成され、
上記リンクのうちのいずれか一方のリンクは、一端部が上記駆動軸に連結される駆動側リンクであり、他方のリンクは上記駆動側リンクの回動方向とは逆方向に従動する従動側リンクであり、
上記吸込み口が設けられる空気調和機本体部位は、一部が上記リンク部材を取付ける平坦部で、残り部分が手前側に突出する湾曲成状をなし、
上記吸込み口は、上記空気調和機本体の幅方向に亘って開口され、
上記パネルは、空気調和機本体の平坦部と間隙を存して手前側に突出する湾曲成状で、かつ空気調和機本体の幅方向から両側部に亘って折曲形成されることを特徴とする空気調和機。
【請求項２】
上記駆動側リンクと従動側リンクは、それぞれギヤ部を備えていて、これらギヤ部が互いに噛合して駆動力が伝達されることを特徴とする請求項１記載の空気調和機。
【請求項３】
上記駆動側リンクと従動側リンクは、弾性部材によってパネルの閉成方向に弾性力が付勢されることを特徴とする請求項１記載の空気調和機。
【請求項４】
上記駆動側リンクと従動側リンクの一端部は互いに近接して、両側からリンクカバーで挟み込まれ、上記駆動側リンクと従動側リンクに設けられるギヤ部は、リンクカバー間に設けられることを特徴とする請求項２記載の空気調和機。
【発明の詳細な説明】
【０００１】
【発明の属する技術分野】
本発明は、室内機と室外機とから構成される空気調和機に係り、特に、室内機における吸込み口を開閉自在としたパネルの駆動構造に関する。
【０００２】
【従来の技術】
室内機と室外機とから構成される空気調和機が多用されている。室内機においては、本体に吸込み口および吹出し口を備え、本体内部には熱交換器および送風機などが収容される。
【０００３】
上記吹出し口にはルーバーが設けられていて、冷房運転と暖房運転との切換えに応じて最適な方向へ吹出せるよう切換えが可能となっている。たとえば、冷房運転時にはほとんど水平方向へ向けて冷風が直接当たらないようにし、暖房運転時にはいわゆる頭寒足熱をなすよう足元に温風を吹出す。
【０００４】
これに対して吸込み口の場合は、室内から吸込み口を介して本体内が見えないよう、内部を遮蔽するためのグリルを備えている。実質的に、吸込み口は完全開放状態にあり、特に運転停止時において塵埃の侵入が容易になっている。
【０００５】
長期の使用に亘ると、本体内に侵入した塵埃が熱交換器に付着堆積して熱交換効率の低下を招いたり、送風機ファンに付着して送風効率の低下したり、送風路やドレンパンに付着してカビの発生があるなど、種々の弊害がある。
【０００６】
【発明が解決しようとする課題】
そこで、近時は、吸込み口を開閉する前面パネルを備えた室内機が提供される傾向にある。上記前面パネルは、以下のような機構によって開閉駆動されるようになっている。
【０００７】
たとえば、吸込み口に前面パネルを対向させ、前面パネルの裏面側で左右両側部および上下部に、平行にステーを突設する。いずれかのステーの端部にラックとピニオンの組合わせによる駆動機構が設けられ、ステーを進退駆動することにより前面パネルが吸込み口を開閉する。
【０００８】
あるいは、吸込み口に前面パネルを対向させ、前面パネルの裏面側の左右両側部および上下部と本体との間を平行リンク機構で連結してなる。この平行リンク機構を駆動することにより、前面パネルが吸込み口を開閉する。
【０００９】
この他、前面パネルを開閉駆動する機構として種々のものが考えられるが、いずれにしても機構的に大きく、配置スペースも大きくなって、設計的に窮屈なものとなっている。
【００１０】
すなわち、近時の傾向として熱交換器の前面側に電気集塵機を備えており、電気集塵機と閉成状態の前面パネルとの間のスペースが僅かでしかなく、上述の開閉駆動機構を配置するには無理がある。
【００１１】
また、本体の高さ寸法を抑制するため、熱交換器の上部は本体の上部に近接して収容され、ここに開閉駆動機構を配置する余裕がない。熱交換器の下部にはドレンパンが配置され、その下部には吹出し口を備えているので、ここには開閉駆動機構を配置できない。
【００１２】
本発明は上記事情に鑑みなされたものであり、その目的とするところは、パネルに、小スペースですむ開閉駆動機構を備えて吸込み口を開閉自在とし、本体の小形化の障害とならずにすむとともに、不使用時における本体内部への塵埃の侵入を阻止して清浄化を保持する空気調和機を提供しようとするものである。
【００１３】
【課題を解決するための手段】
上記目的を満足するため本発明は、熱交換器および送風機を収容する空気調和機本体と、この空気調和機本体に設けられる熱交換空気の吸込み口と、この吸込み口近傍に設けられる開閉駆動機構と、この開閉駆動機構に支持され、上記吸込み口を開閉自在なパネルとを具備した空気調和機において、
上記開閉駆動機構は、パネルの幅方向に沿って所定間隔を存して複数組備えられるリンク部材と、これらリンク部材相互を連結する駆動軸と、この駆動軸を回動駆動する駆動源とから構成され、
上記リンク部材は、互いの一端部が近接しかつ回動自在に空気調和機本体に支持され、互いの他端部が互いに離間して上記パネルに連結され、他端部相互を近接・離間するよう回動することにより、吸込み口の幅方向とは直交する方向の一側部が、他側部より大きく開放するようパネルを吸込み口に対して開閉駆動し、
上記リンク部材は、長さの異なる２本のリンクを備えていて、一方のリンクが他方のリンクよりも長く形成され、上記リンクのうちのいずれか一方のリンクは、一端部が駆動軸に連結される駆動側リンクであり、他方のリンクは駆動側リンクの回動方向とは逆方向に従動する従動側リンクであり、
上記吸込み口が設けられる空気調和機本体部位は、一部がリンク部材を取付ける平坦部で、残り部分が手前側に突出する湾曲成状をなし、吸込み口は空気調和機本体の幅方向に亘って開口され、上記パネルは、空気調和機本体の平坦部と間隙を存して手前側に突出する湾曲成状で空気調和機本体の幅方向から両側部に亘って折曲形成される。
【００１９】
さらに、上記駆動側リンクと従動側リンクは、それぞれギヤ部を備えていて、これらギヤ部が互いに噛合して駆動力が伝達される。
【００２０】
さらに、上記駆動側リンクと従動側リンクは、弾性部材によってパネルの閉成方向に弾性力が付勢される。
【００２１】
さらに、上記駆動側リンクと従動側リンクの一端部は互いに近接して、両側からリンクカバーで挟み込まれ、上記駆動側リンクと従動側リンクに設けられるギヤ部は、リンクカバー間に設けられる。
【００２２】
このような課題を解決する手段を採用することにより、熱交換器の前面と上部および下部にスペース的に余裕のない状態であっても、パネルに小スペースですむ開閉駆動機構を備えて吸込み口を開閉自在とし、不使用時における本体内への塵埃の侵入を阻止して清浄化を保持した。
【００２３】
【発明の実施の形態】
以下、本発明の一実施の形態を図面にもとづいて説明する。
図１は、空気調和機を構成する室内機の断面を模式的に示している。
【００２４】
図中１は、ユニット本体（空気調和機本体）であり、これは側面視で湾曲成される前面部を備えている。上面部と下面部および左右両側部は、ほぼ平板状をなしている。
【００２５】
このユニット本体１の上面部に上部吸込み口２が設けられ、前面部に前部吸込み口３が設けられている。上記前部吸込み口３を覆うように、ユニット本体１の前面を構成する前面パネル４が取付けられる。
【００２６】
さらに、前面パネル４は、上下端部を除いて凹陥形成され、凹陥部分は周部を除いて開口している。前面パネル４の凹陥部分には、後述する開閉駆動機構５に支持される可動パネル６が取付けられ、開口部である前部吸込み口３を開閉自在となす。
【００２７】
上記可動パネル６が前面パネル４の凹陥部分に嵌め込まれた状態で、パネル相互は所定の曲率で手前側に突出するよう湾曲成される。しかも、パネル６，４相互の合わせ面に段差がない同一曲面であり、かつそれぞれが極めて平滑な面に形成されている。
【００２８】
前部吸込み口３の下部に沿って吹出し口７が設けられていて、この吹出し口７は、それぞれ別個に回動制御される２枚の吹出しルーバー８Ａ，８Ｂによって開閉自在である。
【００２９】
ユニット本体１内には、前側熱交換器部９Ａと後側熱交換器部９Ｂとで略逆Ｖ字状に形成される熱交換器９が配置される。上記前側熱交換器部９Ａは、前面パネル４と間隙を存してほぼ平行な湾曲形状に形成され、かつ後側熱交換器部９Ｂは、直状であるが斜めに傾斜して上部吸込み口２と対向する。
【００３０】
上記熱交換器９の前側熱交換器部９Ａの前面側には、電気集塵機１０が取付けられている。この電気集塵機１０は、荷電側電極と集塵側電極とから構成されていて、荷電側電極は空気中の塵埃に電荷を与え、そのあと集塵側電極において電荷を与えられた塵埃を引きつけ、塵埃を除去するようになっている。
【００３１】
上記熱交換器９の前後側熱交換器部９Ａ，９Ｂの相互間で、かつ上記吹出し口７との間に送風機１１が配置される。この送風機１１は、熱交換器９の幅方向寸法と略同一の軸方向寸法を備え、熱交換器９と対向して配置される横流ファンと、この横流ファンを回転駆動するファンモータとから構成される。
【００３２】
上記前側熱交換器部９Ａの下端部は前ドレンパン１２Ａ上に載り、後側熱交換器部９Ｂの下端部は後ドレンパン１２Ｂ上に載って、それぞれの熱交換器部９Ａ，９Ｂから滴下するドレン水を受け、図示しない排水ホースを介して外部に排水できるようになっている。
【００３３】
また、前後ドレンパン１２Ａ，１２Ｂの一部側壁外面は送風機１１に近接した位置に設けられていて、これらで送風機１１のファンに対するノーズを構成している。
【００３４】
ノーズを構成する前後ドレンパン１２Ａ，１２Ｂの側壁部分と、吹出し口７の各辺部との間は、隔壁部材１３によって連結される。この隔壁部材１３で囲まれる空間が、ノーズと吹出し口７とを連通する吹出し通風路１４となる。
【００３５】
一方、前部吸込み口３と上部吸込み口２とに対向し、これら吸込み口３，２と前側熱交換器部９Ａと後側熱交換器部９Ｂとの間にフィルタ１５が取付けられる。このフィルタ１５は、吹出し口７上端の開放した前面パネル４の下端から挿着され、必要に応じて同部位から取外し自在である。
【００３６】
つぎに、上記可動パネル６と前面パネル４および開閉駆動機構５について詳述する。
可動パネル６と対向する前面パネル４の一部は、垂直な平坦部１Ａに形成されている。
【００３７】
上記開閉駆動機構５は、複数組のリンク部材２０と、これらリンク部材２０を連結する駆動軸２１と、この駆動軸２１を駆動する、ここでは図示しない駆動源とから構成される。
【００３８】
複数組のリンク部材２０は全て、前面パネル４の平坦部１Ａに取付けられる。駆動軸２１はリンク部材２０とともに、平坦部１Ａと前部吸込み口３を閉成する状態の可動パネル６裏面との、極く僅かなスペースに収容されている。
【００３９】
上記駆動源は、駆動軸２１の一側部にあって、吹出し口７を開閉する吹出しルーバー８Ａ，８Ｂの駆動源のごく近傍位置に設けられ、電気配線を共通化して、配線作業の簡素化を図っている。
【００４０】
図２と、図３は、前面パネル４から可動パネル６を取外したユニット本体１と、前面パネル４に取付けられる開閉駆動機構５の一部を斜視図として示している。
そして、図２は、ここでは図示しない可動パネル６が前部吸込み口３を閉成したときの開閉駆動機構５の状態を示し、図３は同様に図示しない可動パネル６が吸込み口３を開放したときの開閉駆動機構５の状態を示している。
【００４１】
上記左右両側の平坦部１Ａと、ほぼ中央の平坦部１Ａに、開閉駆動機構５を構成するリンク部材２０が取付けられている。リンク部材２０は複数組備えられていて、各リンク部材２０は水平方向に設けられる１本の上記駆動軸２１によって連結される。
【００４２】
この駆動軸２１の左側端部はリンク部材２０から外方へ突出していて、この端部に詳細は示していないが、駆動源である駆動モータと、この駆動モータの駆動力を上記駆動軸に伝達する機構からなる駆動源２２が取付けられる。
【００４３】
このような構成であるから、上記駆動源２２に通電して駆動力が駆動軸２１に伝達されると、複数組のリンク部材２０が一斉に同一の動作をなすように設定される。
【００４４】
図４は、複数組全てのリンク部材２０を拡大して示す斜視図であり、特に、図３の状態を拡大している。
各リンク部材２０は全て同一の形状構造をなしており、これらリンク部材２０が取付けられる前面パネル４の上記平坦部１Ａ側もまた、同一の構造をなしている。
【００４５】
すなわち、上記平坦部１Ａには凹部３０が形成されていて、先に図２に示したように可動パネル６が前部吸込み口３を閉成したときに、凹部３０にリンク部材２０の一部が挿入するように設計されていて、リンク部材２０の平坦部１Ａからの突出量が僅かですむ。
【００４６】
各リンク部材２０は、上記駆動軸２１に一端部が嵌着される上部側リンク２３Ａと、一端部が上部側リンク２３Ａと後述するように機械的に連結される下部側リンク２３Ｂとを備えている。上部側リンク２３Ａの他端部は上方に延出され、下部側リンク２３Ｂの他端部は下方に延出される。
【００４７】
各リンク部材２０は、駆動軸２１に巻装される弾性部材２４を備えている。この弾性部材２４は、いわゆるねじりばねであって、リンク部材２０の左右両側に位置している。
【００４８】
一方のねじりばね２４は、一端が平坦部１Ａに係止され、他端が上部側リンク２３Ａに係止される。他方のねじりばね２４は、一端が平坦部１Ａに係止され、他端が下部側リンク２３Ｂに係止される。
【００４９】
これらねじりばね２４は、上部側リンク２３Ａと下部側リンク２３Ｂの他端部を平坦部１Ａに当接する方向に弾性的に押圧付勢している。したがって、図４では、ねじりばね２４の弾性力に抗して上下部側リンク２３Ａ，２３Ｂが突出している状態を示している。
【００５０】
図５は、開閉駆動機構５を説明するための可動パネル６の裏面側の斜視図であり、図６（Ａ）は可動パネル６の裏面側一部を拡大した斜視図、図６（Ｂ）はリンク部材２０の正面図である。
【００５１】
上部側リンク２３Ａの一端部には、丸孔の一部を平坦にした断面ほぼＤ字状をなす孔部ａが設けられていて、ここに断面がＤ字状をなす上記駆動軸２１が挿入され嵌着される。
【００５２】
上下部側リンク２３Ａ，２３Ｂの一端部は互いに近接して、両側からリンクカバー２０ａで挟み込まれる。リンク２３Ａ，２３Ｂの端部に、それぞれピン部２５ａ，２５ｂが設けられていて、これらがリンクカバー２０ａに回転自在に支持される。
【００５３】
上記リンクカバー２０ａで挟み込まれる各リンク２３Ａ，２３Ｂの一端部にはギヤ部２６ａ，２６ｂが設けられている。これらギヤ部２６ａ，２６ｂはリンク２３Ａ，２３Ｂの幅方向よりも僅かに大きい範囲に亘って形成されていて、ピン部２５ａ，２５ｂの全周に亘って設けられるものではない。
【００５４】
上下部側リンク２３Ａ，２３Ｂのギヤ部２６ａ，２６ｂは互いに噛合状態にあるので、駆動軸２１に連結される上部側リンク２３Ａを回動することにより、各ギヤ部２６ａ，２６ｂを介して下部側リンク２３Ｂが従動する。
【００５５】
したがって、上部側リンク２３Ａが駆動側リンクであり、下部側リンク２３Ｂが従動側リンクとなる。なお、上下部側リンク２３Ａ，２３Ｂの互いの回動角度は、平坦部１Ａに対してほぼ同一をなすよう設定されている。
【００５６】
互いのリンク２３Ａ，２３Ｂの先端部は厚さ方向に二股状に形成されていて、これらの内側にピン部２７ａ，２７ｂが一体に突設される。二股状の端部間に上記可動パネル６の裏面側に設けられる係合部材２８Ａ，２８Ｂが挿入され、かつ上記ピン部２７ａ，２７ｂが係合部材２８Ａ，２８Ｂに設けられる孔部２９ａ，２９ｂに係合している。
【００５７】
特に、図６（Ｂ）に示すように、上部側リンク２３Ａにおける孔部ａと先端ピン部２７ａの中心間の長さＬａが、下部側リンク２３Ｂにおけるピン部２５ｂと２７ｂの中心間の長さＬｂよりも長く（Ｌａ＞Ｌｂ）形成される。すなわち、上部側リンク２３Ａの全長Ｌａは、下部側リンク２３Ｂの全長Ｌｂよりも長い。
【００５８】
上部側係合部材２８Ａに設けられる孔部２９ａは丸孔であり、上部側リンク２３Ａのピン部２７ａは孔部２９ａに回動自在に支持される。一方、下部側係合部材２８Ｂに設けられる孔部２９ｂは長孔からなり、下部側リンク２３Ｂのピン部２７ｂは孔部２９ｂに回動自在で、かつ移動自在に支持される。
【００５９】
このようにして構成される空気調和機の室内機であって、再び図１に示すように、停止時は可動パネル６が前部吸込み口３を閉成していて、この吸込み口からユニット本体１内部に塵埃の侵入はない。吹出し口７も２枚の吹出しルーバー８Ａ，８Ｂによって閉成されている。
【００６０】
リモコンの運転スイッチをオンに切換えると、後述するように開閉駆動機構５が作動して可動パネル６が手前側に移動し、前部吸込み口３が開放される。
図７は、可動パネル６が前部吸込み口３を開放した状態の側面図、図８は同じ状態の室内機の側面図、図９は同じ状態の室内機の斜視図である。
【００６１】
吹出し口７に備えられる吹出しルーバー８Ａ，８Ｂは、図の状態では吹出し口を閉成しているが、冷房運転と暖房運転の切換え設定に応じて所定量回動する。送風機１１が送風作用をなす一方で、室外機の圧縮機が駆動され冷凍サイクル運転が開始される。
【００６２】
室内空気は、上部吸込み口２と前部吸込み口３からユニット本体１内に導かれ、エアーフィルタ１５を通過する。室内空気に含まれる塵埃はエアーフィルタ１５に捕捉され、塵埃が除去された状態で熱交換器９を通過して熱交換作用が行われる。
【００６３】
この熱交換空気は、吹出し通風路１４に沿って導かれ、吹出し口７から吹出しルーバー８Ａ，８Ｂに案内されて室内へ吹出され、効率のよい空気調和運転がなされる。
【００６４】
上記電気集塵機１０が作用して、エアーフィルタ１５で捕捉されなかった塵埃を完全に捕捉する。したがって、清浄化した空気が熱交換器９を介して吹出し口７から室内に吹出される。
【００６５】
空調運転を終了させるためリモコンの運転スイッチをオフにすると、圧縮機と送風機１１および電気集塵機１０の運転が停止し、かつ開閉駆動機構５は可動パネル６を後退移動させ前部吸込み口３は閉成される。
【００６６】
つぎに、上記開閉駆動機構５の作用について説明する。
可動パネル６が前部吸込み口３を閉成しているときの開閉駆動機構５では、リンク部材２０を構成する上部側リンク２３Ａと下部側リンク２３Ｂが垂直状になって、あたかも１本の直状リンクのように見える。これらリンク２３Ａ，２３Ｂのほぼ半分は本体平坦部１Ａに形成される凹部３０に挿入され、残りの半分が平坦部１Ａから突出する。
【００６７】
このとき、下部側リンク２３Ｂの下端のピン部２７ｂは、下部側係合部材２８Ｂの長孔からなる孔部２９ｂの最下部に係合している。各係合部材２８Ａ，２８Ｂは最も本体１側に引き寄せられていて、これら係合部材２８Ａ，２８Ｂを備えた可動パネル６は前部吸込み口３を完全に閉成する。
【００６８】
リモコンの運転スイッチをオンすることにより空調運転が開始され、同時に、開閉駆動機構５の駆動源２２は駆動軸２１を図１、図２における反時計回り方向に回動駆動する。
【００６９】
上部側のねじりばね２４の弾性力に抗して上部側リンク２３Ａの上端部が前方に突出するよう回動し、ギヤ部２６ａ，２６ｂを介して下部側リンク２３Ｂに回動力が伝達される。
【００７０】
下部側リンク２３Ｂは、下部側のねじりばね２４の弾性力に抗して、その下端部が前方に突出するよう回動する。上述したように、このときの上下部側リンク２３Ａ，２３Ｂの回動角は、互いに同一である。
【００７１】
駆動軸２１を所定量回動したところで、駆動源２２が停止する。上下部側リンク２３Ａ，２３Ｂは、それぞれの上下端部が互いに接近する方向に回動して、略ハの字状になる。
【００７２】
各リンク２３Ａ，２３Ｂと係合部材２８Ａ，２８Ｂを介して可動パネル６が手前側に突出移動し、前部吸込み口３が開放される。この状態で、下部側リンク２３Ｂ先端のピン部２７ｂは、下部側係合部材２８Ｂの長孔からなる孔部２９ｂの上端に係合する。
【００７３】
上部側リンク２３Ａの全長Ｌａが下部側リンク２３Ｂの全長Ｌｂよりも長く設定され、上部側係合部材２８Ａに丸孔からなる孔部２９ａを備え、下部側係合部材２８Ｂに長孔からなる孔部２９ｂを備えた構成から、可動パネル６は前部吸込み口３の上部側を下部側よりも大きく開放するよう移動する。
【００７４】
具体的には、図７および図８に記載のように、可動パネル６の上端縁と前面パネル４との間隔Ｓａは、可動パネル６の下端縁と前面パネル４との間隔Ｓｂよりも大（Ｓａ＞Ｓｂ）となる。
【００７５】
通常、室内機は居室の壁面で、天井に近い高所に取付けられている。したがって、居住者は、ほとんど下から室内機を見上げる。
このような条件下で、空調運転時に可動パネル６が（Ｓａ＞Ｓｂ）の状態で前部吸込み口３を開放しているので、居住者からは可動パネル６がほとんど移動していないように見え、違和感がなく見栄えがよい。
【００７６】
特に、図８および図９に示すように、可動パネル６の両側部６ａはユニット本体１の両側部に沿って折曲形成されていて、前部吸込み口３を開放しているときでも、可動パネル６の両側部６ａはユニット本体１の側部に沿って移動するのみである。
【００７７】
すなわち、前部吸込み口３の両側部は可動パネル６によって閉成されるが、上述の（Ｓａ＞Ｓｂ）の関係から充分な吸込み空間部が確保されて、熱交換すべき空気の吸込み量が充分にある。そして、上部側からの吸込みが主流になるので、室内における対流効果を高められる。
【００７８】
再び空調運転を停止したときの開閉駆動機構５において、下部側リンク２３Ｂのピン部２７ｂが係合部材２８Ｂの孔部（長孔）２９ｂを移動してから、この係合部材２８Ｂを引き上げる。
【００７９】
そして、上下部側リンク２３Ａ，２３Ｂの全長の相違から、上下係合部材２８Ａ，２８Ｂと可動パネル６上下部に対する移動量が前部吸込み口３の開放量に比例し、ついには前部吸込み口３を閉成する。
【００８０】
このように、前部吸込み口３を可動パネル６によって開閉でき、運転停止時において前部吸込み口３を完全閉成して、塵埃の本体１内部侵入を阻止し、種々の不具合発生がない。
【００８１】
また、開閉駆動機構５を構成するリンク部材２０と駆動軸２１は、前面パネル４の平坦部１Ａと可動パネル６裏面側との僅かな空間部に配置でき、簡素な構成で、本体の小形化を促進する。
【００８２】
上記前面パネル４と可動パネル６を湾曲成し、可動パネル６を前面から両側部に亘って折曲形成したので、前部吸込み口３の上下部の開放量を異ならせる機構が簡素化する。
【００８３】
リンク部材２０として、２本のリンク２３Ａ，２３Ｂを備え、１本のリンク２３Ａを駆動側とし、他方のリンク２３Ｂを従動側としたので、機構の簡素化を得られ、必要最小限の部品で構成できる。なお、駆動側リンクと従動側リンクを逆のリンクに設定しても支障がない。
【００８４】
各リンク２３Ａ，２３Ｂのそれぞれにギヤ部２６ａ．２６ｂを設けて、互いに噛合する構成としたので、駆動力の伝達が円滑であり、無駄がない。
前面パネル４とリンク部材２０との間に弾性部材（ねじりばね）２４を設けて、リンク部材２０に対して可動パネル６の吸込み口３閉成方向に弾性力を付勢するようにした。
【００８５】
この弾性力付勢方向は、可動パネル６が重力により前部吸込み口３を開放するよう移動するのと反対側である。すなわち、弾性部材２４の存在により、可動パネル６の開放動作が急激にならずにすむ。また、可動パネル６の閉成動作に必要な駆動トルクが、弾性部材がない場合と比較して小さくてすむ。
【００８６】
複数組のリンク部材２０を備えて１本の駆動軸２１に掛合し、この駆動軸２１の回動にともなって全てのリンク部材２０を一斉に回動付勢するようにしたから、リンク機構としての作用に無駄がなく、しかも完全に同期した動作なので可動パネル６の移動姿勢に歪みが生じない。
【００８７】
すなわち、前部吸込み口３が上下方向と比較して幅方向の長さが極めて大でありながら、可動パネル６は上下方向には勿論のこと幅方向にゆがむことなく開閉でき、高い開閉精度を得られる。
【００８８】
上記リンク部材２０は駆動軸２１に嵌着され、駆動軸２１に沿って移動するようなことがないから、たとえ長期の使用に亘って駆動軸２１に錆が発生するようなことがあっても、開閉動作としては何らの支障もない。
【００８９】
上記リンクカバー２０ａは、上下部側リンク２３Ａ，２３Ｂの一端部に設けられるギヤ部２６ａ，２６ｂを両側から囲繞するので、ギヤ部への塵埃の付着を抑制し、長期に亘って円滑な動作を得られる。
【００９０】
なお、上記実施の形態においては、前部吸込み口３を開閉駆動機構５に支持される可動パネル６で開閉するようにしたが、これに限定されるものではなく、上部吸込み口２を開閉自在とする可動パネルと開閉駆動機構に適用してもよい。
【００９１】
【発明の効果】
以上説明したように本発明によれば、パネルに、小スペースですむ開閉駆動機構を備えて吸込み口を開閉自在とし、本体の小形化の障害とならずにすむとともに、不使用時における本体内部への塵埃の侵入を阻止して清浄化を保持するなどの効果を奏する。
【図面の簡単な説明】
【図１】本発明の一実施の形態を示す、可動パネルが吸込み口を閉成した状態での、空気調和機を構成する室内機の概略断面図。
【図２】同実施の形態を示す、ユニット本体と、この本体に取付けられる開閉駆動機構の斜視図。
【図３】同実施の形態を示す、図２とは異なる状態の斜視図。
【図４】同実施の形態を示す、開閉駆動機構の一部を拡大した斜視図。
【図５】同実施の形態を示す、可動パネルの裏面側と、この開閉駆動機構の斜視図。
【図６】同実施の形態を示す、開閉駆動機構の一部を拡大した図と、その側面図。
【図７】同実施の形態を示す、可動パネルが吸込み口を開放した状態での室内機の概略断面図。
【図８】同実施の形態を示す、可動パネルが吸込み口を開放した状態での室内機の側面図。
【図９】同実施の形態を示す、可動パネルが吸込み口を開放した状態での室内機の斜視図。
【符号の説明】
９…熱交換器、
１１…送風機、
１…ユニット本体（空気調和機本体）、
３…前部吸込み口、
５…開閉駆動機構、
４…前面パネル、
６…可動パネル、
２０…リンク部材、
２３Ａ…上部側リンク、
２３Ｂ…下部側リンク、
２１…駆動軸、
２２…駆動源、
１Ａ…平坦部、
２６ａ，２６ｂ…ギヤ部、
２４…ねじりばね（弾性部材）、
２０ａ…リンクカバー。
【図１】
0004485715.tif 000002
【図２】
0004485715.tif 000003
【図３】
0004485715.tif 000004
【図４】
0004485715.tif 000005
【図５】
0004485715.tif 000006
【図６】
0004485715.tif 000007
【図７】
0004485715.tif 000008
【図８】
0004485715.tif 000009
【図９】
0004485715.tif 000010